(57)【要約】      （修正有）【課題】植物原料から得られる揮発性オイルの質と量を最大限に高めるためのモジュラー蒸留システムを用いたより効率的な蒸留処理方法を提供。【解決手段】容器１０に貯蔵された液体（水）より発生した水蒸気を、密閉された着脱可能なカプセル２０内に収容された植物原料により多く接触させて、植物原料より揮発性オイルおよび水性蒸留物を抽出し、凝縮器３０でカプセルを通過した浸出した水蒸気を凝縮させ、排出口３８より流入した前記凝縮液を分離槽において、（ヒドロゾル等の）水性蒸留物水性蒸留物から揮発性オイルである精油と分離回収する蒸留システムを用いた蒸留処理。【選択図】図３
2018099686.tif 000002
【特許請求の範囲】
【請求項１】
有機物質から揮発性オイルおよび水性蒸留物を抽出する方法であって、
前記方法は、
容器に貯蔵される液体から蒸気を発生させるステップと；
浸出した蒸気を生成するために、有機物質を保持するために構成された着脱可能なカプセルに、蒸気を通過させるステップと；
前記カプセルを通過させた後に、前記浸出した蒸気を凝縮するステップと；
分離槽で、凝縮された水性蒸留物の他の成分から揮発性オイルを分離するステップと；
前記分離槽の外部にある第１の回収領域で、前記オイルを回収するステップと；
前記分離槽の外部にある第２の回収領域で前記凝縮された水性蒸留物の他の成分を回収するステップとを含むことを特徴とする方法。
【請求項２】
前記液体は水であり、その他の成分は水性蒸留物を含むことを特徴とする請求項１に記載の方法。
【請求項３】
前記分離するステップは、
前記分離槽で、第１のプリセット位置でオイルの存在を感知するステップと；
前記プリセット位置で、蒸留物が検出されるときに、ピストンの動作を停止するステップと；
第２の現位置に、前記ピストンを引き下げるステップと；
前記分離槽から残留する液体を抽出するステップとをさらに含むことを特徴とする請求項１に記載の方法。
【請求項４】
前記分離するステップは、
少なくとも揮発性オイルおよび水性蒸留物を含む前記凝縮液を含む分離槽の中でピストンを駆動させるステップと；
前記分離槽内で第１のプリセット位置で、水性蒸留物の存在を検出するステップと、
前記プリセット位置で、水性蒸留物が検出されるとき、前記ピストンの動作を停止させるステップと、
第２の現位置まで前記ピストンを引き下げるステップと、
前記分離槽から残留する液体を抽出するステップとをさらに含むことを特徴とする請求項１に記載の方法。
【請求項５】
前記検出するステップは、
前記水性蒸留物の存在を確認するために、電極を配置するステップと；
前記水性蒸留物が検出されるまで、操作を続行するために、前記ピストンに第１のシグナルを送信するステップと、
前記水性蒸留物が検出されるときに、逆操作を行うために、前記ピストンに第２のシグナルを送信するステップとをさらに含むことを特徴とする請求項４に記載の方法。
【請求項６】
前記検出するステップは、
特定の体積の凝縮水を回収するまで、前記蒸気が空のカプセル内を移動し、前記凝縮器から前記分離ユニットまで、すべての前記管／室を洗浄するとき、逆操作を行うために、前記ピストンに第３のシグナルを送信するステップと；
前記洗浄用の凝縮水が、液体回収トレイに排出されるときに、逆操作を行うために、前記ピストンに第４のシグナルを送信するステップと、
洗浄ステップを終了するステップとをさらに含むことを特徴とする請求項４に記載の方法。
【請求項７】
前記検出するステップは、
添加剤カートリッジから、前記抽出されたオイルとともに使用するための組成物を得るステップと；
前記抽出されたオイルと、前記組成物とを混合して、最終組成物を形成するステップと；
前記最終組成物を貯蔵するステップとをさらに含むことを特徴とする請求項４に記載の方法。
【発明の詳細な説明】
【技術分野】
【０００１】
本発明は高品質の蒸留物、揮発性オイル、および水性蒸留物を抽出し、またカプセルの中に配置された有機物から非常に大量の揮発性オイル（それぞれ、精油やヒドロゾルなど）を抽出するための蒸留装置およびその方法に関する。本発明はモジュラー型蒸留、分離システムを使用することによる高品質マテリアルの抽出を対象にしている。
【背景技術】
【０００２】
関連出願の相互参照
本出願は、その全体が引用により本明細書に取り込まれる、２０１２年６月２１日に出願された米国特許出願第６１／６６２，４０８号を基礎とする優先権を主張する。
【０００３】
揮発性オイルを植物から抽出することは、当分野で知られている。参照することによってここに組み込まれているバラスによる特許文献１は、開口部を備える容器を用いて植物から精油を抽出するための小型蒸留装置に関する。従来技術の容器は、取り外し可能なグリッドによって上室部と下室部に分けられる。下室部は一部水で満たされる。また、葉、小枝、種子、果実、根、花、等の植物原料は、グリッド上部の上室部の中に入れられる。水を熱すると蒸気が発生し、蒸留処理が開始する。植物の精油を含む蒸気が内室を出て凝縮器へと向かうと、蒸気が液状に変化して分離カラムに入る。分離カラムの底部に接続されるリサイクル管によって（サイフォンの原理によって）水性蒸留物が容器に戻される。処理中、カラム内に蓄積した水性蒸留物の上に少量（数ミリメートル）の精油が堆積する。精油はその後手作業で回収される。しかし、特許文献１に記載の装置内部の蒸気は制御できない状態で分散するため、潜在的な能率は無駄に低下してしまう。よって、有機物から高品質の揮発性オイルやヒドロゾルを短時間で蒸留するための小型でコンパクト、操作し易く、最も効率的な装置は、依然として需要がある。
【先行技術文献】
【特許文献】
【０００４】
【特許文献１】国際公開第２００８／０６８７５７号明細書
【発明の概要】
【０００５】
本発明は、モジュラー型蒸留分離装置を使用することにより、植物原料から揮発性オイルと大量の水性蒸留物を抽出するための装置に関する。開示された装置における部品の一構成例では、所定量の植物原料が着脱可能なカプセルの中に設置される。装置が生成する水蒸気はカプセルを通り、植物から揮発性オイルが抽出される。混合蒸気はカプセルを出て凝縮器に入り、装置と同一の広がりを持つ分離ユニットの中に回収される。凝縮器の動作により、混合蒸気は水、ヒドロゾル、および揮発性物質を含む蒸留物に変わる。液体は凝縮器から分離ユニットに流入し、そこで水性ヒドロゾルが揮発性オイルから分離される。ヒドロゾルと揮発性オイルはその後、装置から別々に回収される。
【０００６】
本発明による作用として本明細書に記載する水蒸気蒸留法は、密閉式のモジュラーシステムを利用しない蒸留システムよりも大量の精油を生成する。具体的に、本発明は従来技術において達成することができた装置と比べて、蒸留処理の間、蒸気と植物原料がより多く接触することが可能となる装置を提供する。さらに本発明は、似たようなサイズを有する従来型の装置で達成できるヒドロゾル抽出物とよりも高品質のヒドロゾル抽出物を生成できるシステムを対象にしている。さらに、記載された装置は、従来型の装置よりも植物原料とエネルギーがより少なく済むような、より効率的な蒸留処理を提供する。
【０００７】
本装置は、蒸留時間を従来型の装置よりもさらに短くすることもできる。ある実施例では、蒸留時間を短く保つことが高品質の抽出精油を得る上で重要となる。このように時間を短くすることによって、蒸留処理で自然に発生する揮発物質の加水分解を減少させることができ、また蒸留物に含まれる望ましくないワックスの堆積（オイルの透明度に悪影響を及ぼす）を最小限に抑えることができる。
【０００８】
ここに記載される方法および装置はまた、水容器の連結に適した着脱可能なカプセルを対象にしており、前記カプセルは、カプセルの床底部を囲み、凝縮液が水容器に逆流するのを防止する周囲集液溝を備えている。カプセルは凝縮器に接続する排出口を備える。
【０００９】
さらに、ここに記載される方法は、所定量の植物原料から得られるオイルの質と量を最大限に高めるための特殊モジュラー容器を用いて植物原料から揮発性オイルを抽出する処理工程を対象にしている。
【００１０】
本発明における上述ならびにその他の特徴は、本装置の各部品における構成例の以下の詳細な説明および図面から明らかになるであろう。
【図面の簡単な説明】
【００１１】
【図１Ａ】本発明の一実施例における本装置の部分分解図を示したものである。
【図１Ｂ】図１Ａの実施例における装置の側面図を示したものである。
【図１Ｃ】図１Ａに説明した装置の別の図を示したものである。
【図１Ｄ】本発明の一実施例における本装置の部分分解図を示したものである。
【図１Ｅ】図１Ｂに説明した装置の別の図を示したものである。
【図２Ａ】本発明における一般的な装置の一実施例を図示したものである。
【図２Ｂ】図２Ａで示された装置の一実施例における背面図を示したものである。
【図３】本発明における一実施例の複数の部品の概略図を示したものである。
【図４Ａ】本発明の一実施例による一部品の概略図を示したものである。
【図４Ｂ】図４Ａで提供される一部品の切欠図を示したものである。
【図４Ｃ】図４Ａで提供される一部品の別の切欠図を示したものである。
【図４Ｄ】本発明の一実施例における一部品の斜視図を示したものである。
【図４Ｅ】本発明の一実施例における一部品の斜視図を示したものである。
【図４Ｆ】本発明の一実施例における一部品の斜視図を示したものである。
【図５Ａ】本発明の一実施例による一部品の概略図を示したものである。
【図５Ｂ】図５Ａで提供される一部品の切欠図を示したものである。
【図５Ｃ】図５Ａで提供される一部品の斜視図を示したものである。
【図５Ｄ】本発明の一実施例における一部品の切欠図を示したものである。
【図５Ｅ】本発明の一実施例における一部品の斜視図を示したものである。
【図５Ｆ】本発明の一実施例における一部品の斜視図を示したものである。
【図６Ａ】本発明の一実施例による一部品の概略図を示したものである。
【図６Ｂ】図６Ａで提供される一部品の複数の図を示したものである。
【図６Ｃ】図６Ａで提供される一部品の概略図を示したものである。
【図６Ｄ】本発明の一実施例における一部品の概略図を示したものである。
【図６Ｅ】本発明の一実施例における一部品の概略図を示したものである。
【図６Ｆ】本発明の一実施例における一部品の側面概略図を示したものである。
【図６Ｇ】本発明の一実施例における一部品の側面概略図を示したものである。
【図６Ｈ】本発明の一部品の斜視図を示したものである。
【図６Ｉ】図６Ｈで示される部品の側面図を示したものである。
【図６Ｊ】図６Ｈで示される部品の上面図を示したものである。
【図６Ｋ】図６Ｈで示される部品の切欠図を示したものである。
【図６Ｌ】本発明の一部品の斜視図を示したものである。
【図６Ｍ】
【図７】本発明における一般的な装置の一実施例を図示したものである。
【図８】本発明における一般的な装置の一実施例を図示したものである。
【図９Ａ】本発明の一実施例における電子部品を示したものである。
【図９Ｂ】本発明の一実施例における電子部品を示したものである。
【図１０Ａ】従来技術と本発明の処理を比較して示したものである。
【図１０Ｂ】従来技術と本発明の処理を比較して示したものである。
【図１０Ｃ】従来技術と本発明の処理を比較して示したものである。
【発明を実施するための形態】
【００１２】
図示された装置の構成に関する議論
概観と導入を述べると、本発明は少量の有機原料から少量の揮発性オイルと水性蒸留物を安全に生成するための装置および方法を対象にしている。本発明によって、一般的な家庭環境の下、小規模で短い処理時間のうちに揮発性オイルとヒドロゾルが生成される。ここに記載される処理方法や装置によりヒドロゾルや揮発性オイルを抽出する簡便な方法が提供されるが、これは特別な専門知識や装置を必要としないので、従来技術から技術が向上する。
【００１３】
図１〜図３に示されているように、本発明は少なくとも、（水等の）液体を保持する容器１０と、（植物原料などの有機物、等の）原料を保持するカプセル２０と、蒸気（スチーム）を液体に変化させる凝縮ユニット（凝縮器）３０と、得られた蒸留物を（ヒドロゾル等の）水性蒸留物と揮発性オイルに分離するためのオイル分離ユニット４０を含む。記載された部品のある構成例において、本装置は一般的な家庭のカウンタートップや収納設備に適合させるのに十分な寸法と重量を有している。本装置は、装置の運転環境に耐えることのできる標準的な市販原料ならどのようなものからでも形成することができる。例えば、図２の蒸留装置は、金属か、プラスチックか、ガラスか、炭素繊維か、合成材料または繊維か、またはその他の天然素材かから形成される。
【００１４】
説明を簡単にするため、本明細書において容器１０は水容器とし、液体は水であるものとする。これは好ましく例示的な一実施例であるが、液体が水ではない他の実施例も可能である。
【００１５】
ある一つの構成例において、容器１０は蒸留処理での使用に必要な量の液体を保持できるようになっている。水容器１０は、ある構成において、蒸気を生成するための任意の加熱ユニット（図示せず）を含む。ある部品構成では、ヒーターは電子ヒーターである。また別の部品構成では、ヒーターは燃焼式ヒーターである。ある部品構成において、ヒーターは水容器１０の底部に配設される。この加熱ユニット１１は、一例では、水容器に蓄えられている水から蒸気を生成するようにできている。例えばヒーター１１は、体積の水を蒸発させるのに必要な熱エネルギーを安定して生成できるようになっている。ヒーター１１は標準的な加熱技術や手法を利用できるようにもなっている。さらにある構成例において、ヒーター１１は、蒸留装置から取り外し可能な市販のモジュールまたは追加装置とすることができる。運転中、蒸気は排出管６から水容器を出ていくように設計される。別の配置では、装置全体にカプセルを取り付ける前に水容器１０の充填がなされる。また、その他の手順を考えることもできる。
【００１６】
さらなる構成例において、水の加熱は、加熱ユニットと同一の広がりを持つオプション温度自動調節器によって制御される。該加熱ユニットは、過剰な熱エネルギーが発生した場合や故障した場合に加熱ユニットが停止するような、必要な安全対策が取られている。
【００１７】
図３で示されているように、水容器１０はカプセル２０に直接接続される。また別の構成では、水容器１０はアダプター使って連結される。図示の配置にあるように、排出管６はアダプター７に接続される。アダプター７はカプセル２０に連結される。図に示された別の構成によると、排出管６を出る蒸気は、アダプター７上に形成された複数の管８に拡散する。これによってカプセル２０内に蒸気をまんべんなく拡散させることができる。ある特定の部品構成では、凝縮器に流入する熱量を抑えるため、排出管６とアダプター７は耐熱プラスチックを使用できるように構成される。
【００１８】
本発明の装置はさらに着脱可能なカプセル２０を含む。カプセルは中空内部２４を備え、そこに葉、小枝、種子、果実、根、花及びそれに類するものなどが満たされる。ある一構成例では、植物をカプセル内で圧縮させることができる。また別の構成例では、カプセルの中身を、（普通、磨り潰されているか粉砕されている）乾燥植物原料とすることができる。
【００１９】
他の実施形態では、カプセル２０は、アダプターチューブ８を対応するカプセルチューブ２１の中に配置させることによってアダプター７へと接続する、複数の管２１を含む。各カプセルチューブ２１はその上部内側部分にＯリングを含み（図示せず）、カプセルチューブ２１と対応するアダプターチューブ８が密閉されるようになっている。この気密シールによって蒸気の漏洩が防がれ、すべての蒸気がカプセルに入ることが確実になる。また別の実施例では、必要に応じ、カプセルチューブがアダプターチューブよりも細くなっている。細身のカプセルチューブが太めのアダプターチューブに入り込み、アダプターチューブはその底部内側部分にＯリングを備える。
【００２０】
図４Ａ〜図４Ｆに図示されているように、カプセルチューブ２１の上端に複数の網や格子２２が配設される。網２２は、植物がカプセルチューブ２１に落下するのを防止するために適切な目開き寸法を有する。カプセル２０に位置するチューブ２１からカプセル２０に蒸気が入り込み、蒸気は植物原料を通り抜ける。この動作によって、植物原料に含まれる揮発性オイルと揮発水溶性化合物が抽出される。抽出された揮発性オイルやその他の揮発物質はその後、蒸気と混ざり合う。混合蒸気は排出口２６からカプセル２０を出て凝縮器３０に到達する。
【００２１】
カプセル２０は円形のドーム形の上部２５を含む。混合蒸気の大半は排出口２６からカプセルを出る。ここで、少量の蒸気がたまに液体に戻り、上壁が円錐状であることにより、液体がカプセル２０の両側端および上端に集まることに注意されたい。上部２５の液体はカプセルの両側端２７へと流れ、そこから該両側端２７に沿って周囲集液溝部２８へと流れこむが、周囲集液溝部２８はカプセルの底部ならびに注入口部分（および網２２）を囲っている。この溝部２８はカプセルの中で凝縮した液体を保持できるように構成されており、これにより液体が水容器１０に逆戻りするのが防止される。さもなければ、液体が水容器へと逆戻りし、すでに植物から抽出した数多くの成分を含む液体が再び蒸気に変化するために、全蒸留処理の品質が低下する。１００％純粋な水蒸気蒸留が実施されていないため、これにより継続中の蒸留処理の品質が影響を受ける。しかし本発明のカプセルでは、流入水蒸気が１００％となるような１００％の水蒸気蒸留が可能となり、（蒸気と植物抽出物の古い混合物を含む）液体が水容器へと戻っていくことが防止（又は、最小限に抑制）される。このような特徴により、より高品質のオイル抽出物およびヒドロゾルを得ることが可能となる。図２Ａにさらに図示されるように、排気口500が備えられる。
【００２２】
図示される実施例にあるように、カプセル２０の両側端２７は、ある一例では傾いており、液体が（両側端２７に沿って）周囲集液溝２８へと流入するのを補助している。また、カプセルの底面は、一例では、傾いており、底面に溜まった液体が周囲集液溝２８へと流入するのを補助する。
【００２３】
さらに、カプセル２０には排出口２６の端に、閉鎖密閉用の取り外し可能部材２９が設けられている。取り外し可能部材２９は、図で示した実施例ではアルミフォイルである。しかし当業者であれば、記載した動作に適した様々な部材を想定することができるであろう。ある特定の操作手順では、締付レバー１５が解除される（持ち上げられる）ことによって、凝縮器３０と水容器１０が互いに切り離されるようになっている。このような構造におけるカプセル２０は、使い捨てや最充填が可能である。カプセル２０はアダプター７の上に配設され、カプセルチューブ２１がアダプターチューブ８を貫通するようになっている。取り外し可能部材２９が取り外されると、（管状部材である）排出口２６が凝縮器３０の注入口３１の下に配設される。図示した構成にあるように、注入口３１もまた管状部材である。排出口２６の底部内側部分には、（部材８および部材２１に関連して説明したときと同様に）封止を効果的にするためのＯリングが設けられる。ある特定の操作手順では、レバー１５が下げられ注入口３１が排出口２６を貫通することで、密封される。このようにして、アダプターチューブ８とカプセルチューブ２１が密閉される。よって、本装置は蒸留処理を十分に行えるようになっている。
【００２４】
カプセル２０を抽出するためのこのような一連の操作ステップを続け、レバー１５で互いの部材を持ち上げれば、カプセル２０を容易に取り外すことができる。
【００２５】
図示した装置の別の構成によれば、図４Ｂ〜図４Ｆに示すように、水容器１０はカプセル２０に直接連結されるので、アダプターを必要としない。カプセル本体120は、カプセル120の床部に取り付けられた（または一体となった）複数の段違い部材（スポーク状の隆起した陸部）121を備え、それぞれに複数の孔122（ある実施例において、各孔は約２ｍｍの直径を有している）が備えられている。カプセル本体120は円状カプセルベース部材123の中に配置される。カプセルベース部材は、（床部に対して隆起している）複数のトラック状扇部材125を含み、該トラック状扇部材125は対応する段違い部材121の下に配置される。水容器１０からくる蒸気は（中の孔を通過することで）トラック状扇部材125を通過し、その後、孔122からカプセル本体120の内部へと入っていく。必要に応じて、カプセル２０は円形のカプセルベース部材123の下に配置される集液トレイ126を有し、そこに周囲集液溝部２８から来る所望でない凝縮液を（周囲集液溝部２８の孔などにより）流出させることができる。
【００２６】
図２Ａ、図２Ｂならびに図５Ａ〜５Ｆに示されるように、カプセル２０は凝縮器３０に連結される。カプセル２０の排出口２６から向けられた蒸気は、図５Ａに示すように、凝縮器３０の注入口３１に進入する。注入口３１は、比較的短い管状部材である。蒸気は注入口３１を出ると内室３２へと入り、そこで蒸気が液体に凝縮される。凝縮器は内室３２の外壁から延出している複数のウイング３５を含む（図１〜３、５、７を参照のこと）。内室３２の壁は薄く、一例では、ステンレス鋼よりできている。（ある実施例でアルミニウムからなる）ウイング３５は、内室３２で生成された熱を吸収し、熱エネルギーを外気に放射させることによって、混合蒸気の冷却を補助する。ウイング３５はしたがって、熱交換素子の役割を果たす。
【００２７】
本発明の他の実施例によれば、加熱ユニット205は水容器の内部には配設されずに、図１Ａ〜図１Ｅに示されているように、主要装置構造200の内部に配設される。主要装置構造200は、先に説明されるように、凝縮器と分離ユニット７を有する。しかしカプセル220は水容器210の上に配設され、ハンドル202を含むジョッキ状構造体203（以後、ジョッキ203と呼ぶこととする）が形成される。主装置部はさらに加熱ユニット205を含む。ジョッキ状構造体203は、加熱ユニット205上部の主要構造200の中に配設される。加熱ユニット205は、水容器210内部の水を加熱し蒸気を発生させる。カプセル220は、先に説明されるように、円状カプセルベース部材223の上に配設される。円状カプセルベース部材223は水容器210のカバーとしても使用される。
【００２８】
取り外し可能なアルミフォイル229が除去されると、ジョッキ203が主要構造200の適当な内室273の中に挿入される。（内室273底部の）加熱ユニット205によって水容器が加熱され、蒸気が立ち上り、先に説明されるように蒸気はカプセルベース部材223からカプセル220に入り込む。立ち上る蒸留蒸気がカプセルを出ると凝縮器（図示せず）へと入るが、そこにカプセルが主要構造200に挿入された状態で（クリック／固定部材、等により）連結固定される。
【００２９】
加熱ユニット205は、内室273底面の上部に配設されるか、内室273の床底面の下に隠し、内室273の底面に対向して配設される。加熱ユニット205の長さと幅はそれぞれ、一例では、３ｃｍ〜５ｃｍとなる。
【００３０】
凝縮器と分離ユニット、またそれらの接続部は、主要構造200のカバー（一実施例においてプラスチック製）に覆われているため、図示されない。これらの機能と作用は先に説明した通りである。オイル回収ボトル271とヒドロゾル回収ボトル277は図１Ａおよび図１Ｂに示される。使用者は透明窓272から分離槽を覗くことができる。
【００３１】
追加ファン３６は凝縮器の上部に設置されており、これにより気柱がウイング３５に送られる。別の実施例では、ファン３６が上向きの気流を生成し、気流はウイング３５の横をファン３６に向かって上向きに流れ、冷却処理はこのようにして完了する。
【００３２】
また別の実施例によれば、図５Ｃおよび図８に示すように、凝縮器３０はさらに凝縮器を縦方向に覆う円筒状の被覆外壁３９を備える。ファン３６は大量の空気を円筒状の被覆外壁３９の内部に流し込むことによりウイング３５脇を流れる気流を増加させ、より高い能率で冷却させることができるため、円筒状の被覆外壁３９は冷却機能の効率化に貢献している。ウイング脇に溜まっている熱気が吹き飛ばされるのである。円筒状の被覆外壁３９は、例えば金属などの熱伝導物質を含んでいる。
【００３３】
内室３２を冷却することによって、混合蒸気はここで蒸留物と呼ばれる液体混合物に変わり、蒸留物は分離ユニット４０へと繋がっている排出管３８に集まる。内室３２の床底部３７は傾いており、得られた蒸留物すべてを、床底部３７の最も底縁に位置している排出管３８へと下向きに流出させる。内室３２の天井部３３もまた傾いており、例えば円錐形をしている（図５Ａを参照のこと）。これによって液体が内室３２の両側端へと下向きに流れ、液体の滴が落ちて天井部３３から注入口３１へと逆戻りし、カプセル２０に返るのを防止することができる。したがって液体に変わるほぼ全ての蒸気を、本発明によって効率よく回収することができる。ある特定の実施例では、天井部３３ａはドーム形をしており（図５Ｂ、図５Ｄ、図５Ｅに図示）、これによっても同様の効果を得ることができる。
【００３４】
図に示した構成によると、図５Ｆに示されているように、床底部３７ａは内側に（中心部に向かって低く）傾いている。蒸留物は内側に流れ、床底部の中心に位置している円状溝部３４へと落ち込む。液体蒸留物はその後排出管３８から溝部３４を出る。排出管３８はある実施例において約２〜５ｃｍかそれ以上の長さを有し、一例では約１ｃｍの直径を有する。一例において排出管３８はステンレス鋼より構成されているが、プラスチックなど、その他の素材から構成されていてもよい。一例として、得られた全ての蒸留物が凝縮器３０を出ていくように、溝部３４は、排出管３８が前記溝部３４の最低部分に配設されるようにして傾いている。凝縮器３０の内面と排出管３８の内面はなめらかになっており、液体の流動性が助長されるようになっている。床底部３７ａおよび溝部３４は、液体をできるだけ冷めた状態にしておくため、一例では、プラスチックからできている。
【００３５】
一例として、凝縮器３０は、一般に７ｃｍ〜１３ｃｍ（１０ｃｍ等）の（被覆外壁３９の）直径を有する。凝縮器３０は一般に６ｃｍ〜１０ｃｍ（８ｃｍ等）の高さを有する。被覆外壁３９は、例えばアルミニウムなどの金属からなる。ウイング３５は、例えば被覆外壁３９の一般的な直径と同じ長さを有して延出している。複数のウイング３５は、例えば約２ｍｍの間隔を置いて配置される。
【００３６】
一例として、ファン３６は、一般に７ｃｍ〜１３ｃｍ（１０ｃｍ等）の直径を有する。ファン３６はまた、１．５ｃｍ〜２．５ｃｍまで（２ｃｍ等）の高さを有する。ファン３６は、例えば（家庭用のパソコンやノートパソコンなどに用いられるファンのように）プラスチックからできている。
【００３７】
内室３２の内壁は、他の例ではステンレス鋼からなり、なめらかに磨かれている。このような特徴によって洗浄が促進され、廃棄物の堆積が防止される。内室３２の内壁の直径は、一例として３ｃｍ〜５ｃｍまで（他の例では、４ｃｍ等）となる。内室３２の内壁の一般的な高さは、例えば、５ｃｍ〜９ｃｍ（７ｃｍ等）となる。
【００３８】
例えば、排出管３８はステンレス鋼から構成される。このとき、排出管の一般的な直径は０．５ｃｍ〜１．５ｃｍ（１ｃｍ等）となる。排出管３８の長さは、例えば３ｃｍ〜５ｃｍまで（４ｃｍ等）となる。
【００３９】
チューブ３１はプラスチックなどからできている（したがって凝縮器３０への熱伝導性が抑えられる）。チューブ３１の一般的な直径は、例えばｌｃｍ〜２ｃｍ（１．６ｃｍ等）である。チューブ３１の長さは例えばｌｃｍ〜２．５ｃｍ（１．５ｃｍ等）である。
【００４０】
天井部３３ａは、また別の実施例においては、なめらかに磨かれたステンレス鋼より構成される。その底部の一般的な直径は例えば３ｃｍ〜５ｃｍ（４ｃｍ等）となる。天井部３３ａの高さは、例えば、ｌｃｍ〜２ｃｍ（１．５ｃｍ等）となる。
【００４１】
円状溝部３４は例えば耐沸騰性プラスチックからできている（したがって熱伝導性が抑えられている）。円状溝部３４の直径は、例えば２ｃｍ〜５ｃｍまで（３ｃｍ等）である。円状溝部３４の深さは、例えば０．５ｃｍ〜１．５ｃｍまで（１ｃｍ等）である。
【００４２】
蒸留処理の間、本装置のシステムは密閉されたシステムではなくて、外気に開放されたシステムである。つまり、本装置の部材の至るところに孔が形成され、装置のシステム内部に（蒸気圧等の）圧力が蓄積されないようになっている。システム内部に圧力がかかると、所望とする植物原料の一部の加水分解が加速される虞がある。これは揮発性オイルとヒドロゾルの品質に悪影響を与える。この種の孔（例えば３ｍｍ〜５ｍｍの直径を有する）は、例えば溝部３４や排出管３８の上部などに設けられる。
【００４３】
凝縮器３０は分離ユニットに連結されている。図３および図６Ａで示されているように、凝縮器３０の排出管３８からくる液体は、分離ユニット４０の注入口４１に入り、そこに排出口３８が連結される。注入口４１は比較的短い管状部材である。液体蒸留物は注入口４１を出ると、分離槽４２（ガラスなどから構成される）へと侵入し、そこで（混合）ヒドロゾルとオイル抽出物を含む蒸留物が分離される。揮発性オイル７０が低密度となることにより、ヒドロゾル７５の上部にオイルが浮いて蓄積し、分離処理はこのようにして達成される。
【００４４】
ある操作手順において、分離処理は、分離槽底部のバルブを解放し、ヒドロゾルをボトルに取り、バルブを閉め、今度はオイルボトルを持ってきてバルブを解放し、揮発性オイルをオイルボトルの中に集めることによって実施することができる。しかしこの操作によってオイルがこぼれ、汚れてしまう虞がある。
【００４５】
これを受け、精油回収方法を改善するために提供される別の一連手順によれば、分離ユニット４０はさらに、分離槽４２を通ってピストン４４を駆動させるための電気モーター４３を備えていて（図６Ａ）、ピストン４４のヘッドは分離槽４２の直径と同じサイズの直径を有しており、その端が分離槽４２の側面に密に押し付けられていて、側面から液体が漏洩することのないようになっている。浮遊オイル７０を保持するヒドロゾル７５はピストン４４上部に認められる。ヒドロゾル７５とオイル７０が所定量だけ回収されると、蒸留処理が停止する。全ての蒸気が液体に変わって分離槽４２に流出した後、オイルが分離される。
【００４６】
モーターが作動すると、オイルを排出管４６に流出させるようにピストンが上方に駆動する。（電極等の）センサー４５は、分離槽４２の内側端に設置されており、排出口４６の底部に軽く接触している。センサー４５は水性ヒドロゾルや揮発性オイルの存在を検知する。具体的には、センサー４５はオイルと水性ヒドロゾル混合物の伝導性の変化を検知できるように設計されている。センサー４５によってオイルが検知されると、ピストン４４が上向きに駆動し、オイルが排出管４６を出て回収ボトル７１へ入る。ほぼ全てのオイルがチューブ排出口４６を出た瞬間、ヒドロゾルがセンサーに達し、ここにオイルが検知されないということを示す信号をセンサーに送信させる。これによって電気回路が閉じ、モーター４３が停止する。その後モーター４３によってピストン４４が下向きに駆動され、ピストンはヒドロゾルが回収可能になる場所に到達する。具体的には、排出管７６へと接続しているバルブが解放してヒドロゾルが排出管７６を出て回収ボトル７７に入る。さらに、第二のセンサーを第二の排出管７６の下に設置させ、その場所に液体が検知されないことで処理の終了を感知するように前記センサーを構成することもできる（液体の存在を検知するセンサー、等）。
【００４７】
さらに凝縮器の床底部３７を傾斜させ、全蒸留物の流れを発生させることでオイルの抽出過程で蒸留物の滴がオイル層に滴下することが防止されるように、床底部３７が構成されている。一方、すべてのオイル相を取り除いた後にヒドロゾル相を回収することで、アロマセラピー等の使用に好ましいヒドロゾル生成物が生成される。
【００４８】
また別の一連手順によれば、図６Ｂに示されるように、ピストン４４は排出管７６の流出部より上に配置される（ステージ１）。オイルが排出管７６に進入しないよう、（例えばタイマーで設定した時間の後に）十分な蒸留物が回収されると、ピストン４４が（モーター４３によって）排出管７６の出口より下に下げられ（ステージ２）、ヒドロゾルが排出管７６に入って排出管７６の他端から流出し、分離槽４２における液体上部の水位（上部のオイル＋底部のヒドロゾル）がサイフォンの原理に従って排出管７６の最上部と同じ水位になる。蒸留処理の間、蒸留物は分離槽４２に入り、ヒドロゾルが回収される。（ただしサイフォンの原理で分離槽４２や排出管７６に溜まるヒドロゾルを除く。蒸留処理の最後、分離槽４２は、２．５ｃｃのオイルの下に約１．５ｃｃのヒドロゾルが保持される）。ステージ３では、ピストン４４が上昇してオイルが回収されると、先に説明したように、センサーがマテリアルを区別してピストン４４を停止させる。その後のステージ４では、ピストン４４が排出管７６出口や集液トレイ７８の下まで下げられ、分離槽や排出管７６に残っているヒドロゾルが集液トレイ７８に排出される。必要に応じて、このような操作モードを自動化することができる（操作開始、各ステージでのピストン位置、加熱ユニットやファンのスイッチオフ、オイルの回収、など）。このような自動化機能には、記憶されている命令セットを実行するためのコンピュータやプロセッサなどの制御装置の使用が含まれる。具体的に、図９Ｂには、記載されている装置とその機能を制御するための、制御回路５０２が示されている。
【００４９】
分離槽４２内部の蒸留物は、（底部の）ヒドロゾルと上部のアロマオイルに分離する。高品質の蒸留処理を心掛けていても、少量の植物原料ワックスがよく蓄積する。ワックスは主にオイル層とヒドロゾル層の間に蓄積するが、一度オイルと混合するとオイル層の下に堆積するまで時間がかかり、それまでの間オイルはある程度濁りが入った状態となる。蒸留物が注入口４１から落ちてオイル層の上に飛び散ると、オイルとワックスが混ざり合う。このような問題を避け（オイルがワックスと混ざり合う事なく純粋で澄んだ状態に保たれ）るために、本発明の別の実施例では、蒸留物は凝縮器３０から分離槽へと届けられる。
【００５０】
図６Ａ〜図６Ｃに見てとれるように、円盤型部材８５（プラスチックやステンレス鋼などから構成される）が注入口４１の底端部に接続され、蒸留物が複数の孔８１を通って注入口４１から円盤型部材８５の表面へと流出するようになっている。前記複数の孔８１は、例えば２ｍｍの直径を有することができる。注入口４１はチューブ状の形状をしており、例えば約８ｍｍの直径を有する。円盤型部材８５は分離槽４２の直径よりもわずかに小さな直径を有しており、蒸留物８２が円盤型部材８５の上から端へと流れ、（例えば約１ｍｍの）わずかな隙間を通って静かに分離槽４２の内壁を流れ落ちるようになっている。蒸留物は分離槽４２内部のオイル層上部７０に静かに到達することができるため、ワックス層はアロマオイルとほとんど混じり合わない。このため、オイルは純粋（きれい）なまま保たれ、ワックスで汚されることがなく、望み通り澄んでいる。このように純粋で澄んだアロマオイルは直ぐにでも使用することができる。
【００５１】
また別の実施例によれば、図６Ｄに示されている通り、円盤型部材８６は分離槽４２よりも小さな直径を有している。注入口４１は、分離槽４２の内面へと向けられた複数の孔８３を備えている。分離槽４２と円盤型部材８６との間に隙間がある状態で、蒸留物は前記複数の孔８３を出て、分離槽４２の内面に隣接した円盤型部材８６の表面を流れ下る。このように、蒸留物が分離槽４２の片側の内壁を流れ下り、上の実施例と同じような緩やかな流動効果が達成される。また分離槽４２には、圧力の蓄積を防止するための一乃至複数の孔８４が設けられているので、緩やかな流れが可能になる。
【００５２】
別の実施例では、蒸留物は排出管３８により、分離槽４２の上部に配置され排出管３８末端の下に設けられた漏斗部材９０に排出される。蒸留物は、漏斗部材９０の底の幅狭部から、固定軸によって漏斗部材の下に配設された円錐部材９１の上に落ちる。蒸留物は円錐部材９１の背面を流れる。円錐部材９１の広底部は分離槽４２の直径よりもわずかに小さな直径を有しており、蒸留物が円錐部材９１底部と分離槽４２のわずかな隙間から分離槽４２内面をつたって下向きに流れることができるようになっている（前記の隙間は、例えば約０．３ｍｍである）。その他の実施例として、円錐部材９１をベル状の部材に置き換えることができる。これによって蒸留物がまとまって静かに流れるようになり、ワックスとオイルの混合が防止される。
【００５３】
別の実施例では、蒸留物は排出管３８によって、排出管３８の末端の下に設けられた漏斗部材９３に排出され、そこで漏斗部材９３の底の幅狭部が分離槽４２の外面に取り付けられ（封止）される。図６Ｆに示されているように、分離槽４２は、漏斗部材９３の取り付け位置のすぐ上の側壁に複数の孔９４を有する。蒸留物は漏斗部材９３の底の幅狭部に蓄積し、孔９４を通ってゆっくり分離槽４２の内壁を流れ下り、これによって蒸留物がまとまって静かに流れるようになり、ワックスとオイルの混合が防止される。
【００５４】
また必要に応じて、本発明ではさらにろ過ユニット９２が備えられ、図６Ｇに示されているように、排出管３８は、前記ろ過ユニット９２から蒸留物を漏斗部材９３へと排出する（ろ過ユニット９２は排出管３８末端部の下に設置される）。ろ過ユニット９２は複数のガラスボール９６を備える。一例として、ガラスボールはそれぞれ約２ｍｍの直径を有している。ガラスボールは表面に植物ワックスを吸収できるようになっており、これにより純度の高い蒸留物が生成される。ろ過ユニット９２の底部にはネットやメッシュスクリーン９５が設置され、これによってガラスボール９６をろ過ユニット９２の内部に保持し、ガラスボール９６がろ過ユニット９２からこぼれ落ちるのを防止している。その他の構成として、布フィルターをハーブの上に設置し、蒸留処理でのワックス状の物質を吸収させることもできる。
【００５５】
孔94,81および83の一般的な直径は、一例では、１ｍｍ−３ｍｍ（−２ｍｍなど）である。前記分離槽42の一般的な直径は、一例では、０．８ｃｍ−１．５ｃｍ（−１ｃｍなど）である。分離槽42の長さは、一例では、４ｃｍ−９ｃｍである。前記漏斗部材90は、一例では、ステンレス鋼またはプラスチック製である。漏斗部材90の上の大きな部分の直径は、一例では、０．８ｃｍ−１．５ｃｍ（−１ｃｍなど）である。漏斗部材90の底の小さな部分の直径は、一例では、０．３ｃｍ−０．７ｃｍ（−０．５ｃｍなど）である。漏斗部材90の高さは、一例では、０．３ｃｍ−０．７ｃｍ（−０．５ｃｍなど）である。
【００５６】
円錐部材91は、一例では、ステンレス鋼またはプラスチック製である。前記の通り、円錐部材91の底の幅広部は、分離槽42の直径と比較して、ほんのわずかに小さい直径を有する。円錐部材91の上の幅狭部の直径は、一例では、０．３ｃｍ〜０．７ｃｍ（０．５ｃｍなど）である。円錐部材90の高さは、一例では、０．３ｃｍ〜０．７ｃｍ（０．５ｃｍなど）である。
【００５７】
部材93の大径は、一具体例では、１．２ｃｍ〜２ｃｍ（１．５ｃｍなど）である。部材93の小径は、一例では、０．５ｃｍ〜１．４ｃｍ（１ｃｍなど）である。ろ過ユニット92の一般的な直径は、一具体例では、０．７ｃｍ〜１．３ｃｍ（１ｃｍなど）である。ろ過ユニット92の長さは、一具体例では、２ｃｍ〜５ｃｍ（３ｃｍなど）である。ろ過ユニット92は、一例では、ステンレス鋼またはプラスチック製である。
【００５８】
部材86は、一例では、ステンレス鋼またはプラスチック製である。部材86の一般的な直径は、一例では、８ｍｍ〜１５ｍｍ（９．５ｍｍなど）である。
【００５９】
注入口41の直径は、一例では、０．２ｃｍ〜０．６ｃｍ（一例では、〜０．４ｃｍ）である。注入口41の長さは、一例では、１ｃｍ〜５ｃｍ（一例では、〜３ｃｍ）である。
【００６０】
図６Ａ〜６Ｍに図示されるように、前記管38は、（分離槽42の上部の周囲の）円形の円状溝87に連結される。蒸留液体は、前記管38から出て、前記円形の円状溝87に溜まる。図６Ｈ〜６Ｉに示されるように、前記液体は、分離槽42の上部のスリット88を通過する。前記液体はさらにスリット88を通過し、槽42の内側の周壁に沿って流下する。本発明の他の形態によると、図６Ｋ〜６Ｍに示されるように、前記管38から出た前記蒸留液体は、溝87に入る前に、（上述の理由で）複数のガラスボール96を通過する。
【００６１】
図６Ｊには、ボールの槽42内への落下を防止する（また、液体が直接、槽42内に流入することを防止する）ボールブロッキング部材97が図示される。ボール96を通過した液体は、溝87に溜まり、スリット89を通過し、槽42の内側の周壁に沿って流下する。各ボールの直径は、一例では、約２ｍｍであり、複数のボールの体積は、一例では、約５ｃｃである。
【００６２】
ヒドロゾル回収ボトル77及びオイル回収ボトル71は、長期間の貯蔵することが可能なガラス又は他の材料からなる。前記管76,46及び38は、一例では、ステンレス鋼又はテフロン（登録商標）コーティング材料からなる。分離プロセスを追い、装置ユーザに独自に認識させるために、前記分離ユニットのピストン管は可視である。管46は、随意に、オイルが正しく流れているか視認するための拡大鏡を備えた透明な材料からなる１回限りの使い捨て管である。
【００６３】
この実施態様は、特に、オイル分離機能（電極、ピストンなど）の点で、有益である。得られるオイルは、水−蒸留物（ヒドロゾル）を含まず、純度が高い。この方法で得られるオイルは、それらまたはそれに類するものを混合したヒドロゾルから蓄積されたオイルをさらに洗浄する必要がない。
【００６４】
漏斗部材90の下の小さな部分の直径は、一例では、１２ｍｍ〜２０ｍｍ（１６ｍｍなど）である。
【００６５】
管76の厚さは、一具体例では、４ｍｍ〜８ｍｍ（６ｍｍなど）である。その長さの一例は、約８ｃｍである（その４部分は、それぞれ約１ｃｍ、４ｃｍ、２ｃｍおよび０．５ｃｍである）。
【００６６】
管46の直径は、一例では、３ｍｍ〜６ｍｍ（一例では、〜４ｍｍ）である。管46の長さは、一例では、１．５ｃｍ〜３ｃｍ（一例では、〜２ｃｍ）である。
【００６７】
ボトル77は、一例では、ガラス製であり、一例では、１００ｃｃの液体を含有することができる。その長さは、一例では、８ｃｍである。
【００６８】
ボトル71は、日光を防ぐために、一例では、褐色ガラス製であり、一例では、２．５ｃｃの液体を含有することが可能である。その長さは、一例では、３ｃｍであり、直径は、一例では、１ｃｍである。
【００６９】
他の実施例によると、前記装置は、１２分間の操作時間内で、約８０ｃｃのヒドロゾル水を生成するように構成される。この時間内で、ほぼ全てのアロマオイルが、植物から放出される。植物原料ワックスの最少量（仮にあったとしたら）が、この時間内に放出される。さらに、約３ｃｃのアロマオイルが、この操作時間の間に、生成される。
【００７０】
図９に示されるように、前記装置は、前記加熱ユニットの起動のために、加熱ユニットに連結される起動スイッチ60を含む。前記スイッチ60は、異なる温度に加熱するために、加熱ユニットの制御を可能にする温度調整器を起動する。前記加熱ユニットは、電気プラグ61を介して、電気ソケットに接続される。電気プラグ65は、電気ソケットに接続され、前記装置、すなわち、凝縮器ファン36および分離ユニットモーター43の他の電動ユニットに電力を供給する。前記凝縮器30は、作動／非作動ファン（activating/deactivating fan）36のためのスイッチ69を含む。オイルを抽出し、前記分離槽42に蓄積したオイルをすべてボトル71にすべて回収するために、前記装置は、前記モーター43を起動させるスイッチ67をさらに含む。前記モーター（43）の操作前に、ピストン44を初期状態に位置させる。スイッチ67を押すことで、前記モーター(43)により、本明細書に記載されるように、ヒドロゾルが１個または２個の電極に接触するまで、ピストン44を駆動させ、移動させる。その後、すべてのオイルが除去された後に、前記モーターにより、ピストン44を駆動させ、初期状態に戻るように移動させる。
【００７１】
一例では、スイッチ69を押すことにより、前記凝縮器ファン36が起動される。起動の数分後、前記加熱ユニットの電源を切る。その後、前記凝縮器ファン36も、停止させる。その後、スイッチ67を押すことにより、オイルが回収される。
【００７２】
スイッチを１回押すことにより、全体の工程が実施されるように、前記装置は、自動的に、すべての電動部材を起動させ、動作を停止させるスイッチを随意に含む。（本明細書に記載されるように）これは、前記加熱ユニットおよびファン36の起動と、停止と、前記分離ユニットモーターを起動させることとを含む。また、これは、当技術分野で既知のように、制御装置、チューナーなどを含む。また、前記装置は、オイルを回収した後に、起動されるＬＥＤなどの工程の終了を表示する表示装置を含む。
【００７３】
部材の他の構成では、本発明の前記装置は、自己洗浄のための有利な機能のために、提供される。このモードでは、前記加熱ユニットが起動される。蒸気は、植物を含有する状態の使用したカプセル20又は空のカプセル20を通って移動する。蒸気は、注入口31に指向する。前記ファン36が停止することにより、前記蒸気の大部分は、前記凝縮器の内室32で、水へと変わらず、内室32を洗浄し、（管38も洗浄しながら）管38を通り前記分離ユニットへと続く。蒸気は、前記分離ユニット内のすべての管／室を移動し、それらを洗浄し、掃除する。随意に、前記ファンは、交互に、オンオフされ、ここで、ある時間には水、またある時間には蒸気となり、前記凝縮器を通って、前記分離ユニット40に移動する。よって、すべての管、室及び通路を、洗浄及び掃除する。洗浄工程の終わりに、洗浄水が、液体回収トレイ78に、回収される。他の例では、自動の洗浄スイッチ又はボタンが、洗浄工程を始動させる。
【００７４】
本発明の他の操作モードは、飲料の蒸留に関する。本発明のカプセルは、コーヒー及び茶粉末などの蒸留に必要な固体の有機原料が充填される場合がある。例えば、上述の装置を使用することで、蒸気は粉末と混合するが、コーヒーは揮発性ではないので、蒸気と共にカプセルから流出しない。しかし、コーヒー内の他の物質は、揮発性であり、蒸気で抽出され、（濃縮後の）得られた液体は、コーヒーの香りとコーヒーの味を有する透明液体である（ここで、液体は、主に揮発性化合物を含む）。この場合、前記分離槽は、（分離のためでなく）得られた液体を回収し、分散するために使用されるだけである。蒸気／温水をコーヒーと混合し、揮発性物質と主に不揮発性物質とを含むコーヒーを製造するとき、従来技術のコーヒーカプセルが使用される。本発明の利点は、例えば、水蒸留下で、非揮発性であるカフェインが蒸気で抽出されないことである。よって、カフェインを含まない飲料が、本発明を用いて、得ることができる。また、前記装置は、コーヒー飲料を抽出し、生成するために使用された同一の機器を用いて、茶飲料を生成するために構成される。
【００７５】
本発明のさらなる構成では、前述の装置は、（図示されない）水希釈装置で、構成される。提供される構成では、前記水希釈装置が、濃縮されたヒドロゾルから飲料水を生成するために使用される。
【００７６】
前記装置のさらなる構成では、前記装置は、（特定の温度範囲に一致させて）冷却されたまたは温かいろ過された水道水を用いて、前記水性蒸留物を希釈することにより生成された飲料を製造するために、標準の浄水器、冷却装置およびヒーターを用いて、構成される。例えば、本装置は、ろ過された水を冷却または加熱し、水性蒸留物および他の抽出物と、抽出工程で発生する任意の他の化合物の（特定の濃度範囲に）希釈された飲料を製造するために、設計される炭素フィルター、電熱器および圧縮機モジュールを装備する。よって、前記装置の構成は、（単純な天然飲料および治療などに）すぐに使用することができる冷却されたまたは温められた水性蒸留物飲料を製造する。
【００７７】
前記装置は、さらに、添加剤カートリッジを用いて、構成することができる。例えば、前記装置は、水／ヒドロゾル混合物を前記添加剤カートリッジ内に貯蔵されたフレーバー、甘味料または他の抽出物を用いて風味付けするために、構成することが可能である。例えば、前記装置は、ヒドロゾル濃縮物の予め砂糖を加えた容器を収容するように設けられる。この構成では、前記装置は、回収された水が前記カートリッジ内に含まれる予め砂糖を加えた濃縮物と、ヒドロゾルとを混合、または組み合わせるように、予め砂糖を加えたカートリッジに連結される。さらなる構成では、前記添加剤カートリッジは、全体的な混合物が炭酸を含むように、適した部材を含む。
【００７８】
先述のいずれかでは、製造された前記飲料は、着脱可能な貯蔵容器内に、確保される場合がある。また、前記飲料容器は、使用者の所望に基づき、冷却または温められる。
【００７９】
部材のさらなる構成では、前記本装置は、前記水容器内に貯蔵された（酵母により主に発酵させた）任意の種類の発酵した有機原料から飲料等級アルコールを抽出し、蒸留するために、装備される。この場合、空のカプセルが、純度の高い蒸留されたアルコールを得るために前記装置に挿入されなければならない。使用者が揮発性の植物性化合物を含有するエタノールを得ることを所望する場合、適当な植物を含有するカプセルを使用しなければならない。一構成では、例えば、温度計により制御される加熱部材を、蒸留工程の間、液体を蒸留するために沸点以上の固定された温度に維持するために構成することができる。一例では、エタノールは、発酵した液体からエタノールを蒸留するために、７８℃（エタノールの沸点）まで上昇させる。この場合、蒸留されたアルコールは、ヒドロゾルボトル位置にあるボトル内に回収される。温度計を備えた前記装置は、６４℃（すなわち、メタノールの沸点）以上であり、７８℃（エタノールの沸点）以下の温度範囲での、短時間の前蒸留工程により、微量のメタノール（酵母により同時に発生する場合がある非常に有害なアルコール）の除去が可能になる。当業者は、他の液体が、前蒸留および蒸留の温度の異なる形態を用いて、同じ方法で蒸留することができると理解するであろう。
【００８０】
さらなる実施態様では、前記装置は調製された揮発性オイルを受け入れ、すぐに使用することができる揮発性オイルを製造するための添加剤カートリッジポートを収納できるように構成されている。特定の組成及び濃度の調製されたオイルが問題となっている装置によって生成され、製造されるように、揮発性オイル抽出物はアロマセラピーで汎用されるキャリアオイルなどの油溶性化合物で希釈される場合があり、調製された組成物は貯蔵される希釈されたオイルの容器へと指向する。この方法では、前記装置により発生されるオイルの適当な混合物及び濃度が、維持される。
【００８１】
さらなる実施態様では、本発明に記載される装置は、天然香料を製造するために、調製された揮発性オイルと、添加剤カートリッジに貯蔵される揮発性オイルとに対応するように装備される。揮発性オイル（または他の抽出物）は、キャリアアルコール（または他の油溶性化合物）で希釈される場合がある。特定の組成および濃度の調製された香料が問題となっている装置によって生成され、製造されるように、香料および調製された香料は貯蔵される希釈されたアルコール性香料の容器へと指向する。この方法では、前記装置により発生されるオイルの適当な混合物および濃度が、維持される。
【００８２】
前記構成は、上述の装置が、操作が簡便で、且つ、家庭での使用に適した総合的な飲料製造設備であることを定める。また、記載される前記発明は、カスタマイズ可能な添加剤および香味料を提供するという、さらなる利点を有する種々の単一の機能の装置の適当な代替物である。
【実施例】
【００８３】
上述の例は、本発明の方法および記載された装置の部材の特定な寸法の具体的な典型的な記載を供するものである。当業者は、上述の例が典型的なものであり、他の材料、寸法および方法を用いることができると理解するであろう。
【実施例１】
【００８４】
先に示されるように、カプセル内に位置する蒸留ハーブは、グリッド上に位置する蒸留ハーブと比較して、より多量の揮発性オイルを生成する。ＧＣＭＳ法により検出されるように、前記カプセルは、グリッド上と比較して、より高品質の揮発性オイルおよびヒドロゾルを生成する。タンク内に残留した水は、グリッドを用いた場合と比較して、透明であり、きれいである。
【００８５】
ある実施例では、上述の装置は、一例では、１ｃｍ〜２ｃｍ（〜１．６ｃｍなど）の排出管６を用いて構成される。前記カプセルの体積は、一例では、３００ｃｃ〜５００ｃｃ（〜４００ｃｃなど）である。前記カプセルの底部の直径は、一例では、６ｃｍ〜１０ｃｍ（〜８ｃｍなど）である。前記カプセルの高さは、一例では、４．５ｃｍ〜７．５ｃｍ（〜６ｃｍなど）である。前記アダプター７の一般的な直径は、一例では、４．５ｃｍ〜７．５ｃｍ（〜６ｃｍなど）であり、金属または耐煮沸性プラスチック製である。排出口26の一般的な直径は、一例では、１ｃｍ〜２ｃｍ（〜１．６ｃｍなど）である。前記排出口26の長さは、一例では、０．３ｃｍ〜４ｃｍ（〜０．５ｃｍなど）である。排出口26は、一例では、プラスチック製である。管８の直径は、一例では、３ｍｍ〜７ｍｍ（〜５ｍｍなど）である。管８の長さは、一例では、３ｍｍ〜７ｍｍ（〜５ｍｍなど）である。管８は、一例では、プラスチックまたはステンレス鋼製である。管21の直径は、一例では、２．８ｍｍ〜５．２ｍｍ（一例では、〜４．１ｍｍ）である。管21の長さは、一例では、４．５ｍｍ〜７．５ｍｍ（一例では、〜６ｍｍ）である。前記カプセル20は、随意に、透明であり（または部分的に透明）、一例では、プラスチック製（例えば、再生可能プラスチック）であり、前記カプセル20内に含まれる植物原料が、前記カプセル20を通して見ることができる。前記カプセル20は、一例では、濃縮を最小限にするために、プラスチックなどの熱的に隔離された物質を含む。
【００８６】
操作時に、８０グラムのラベンダーの新鮮な葉が、上述のオイル抽出装置のグリッド上に置かれる。水が容器内で加熱され、発生した蒸気が熱湯の上のグリッド上に位置する前記ラベンダーの葉に通される。凝縮器内で、蒸気が凝縮され、得られた液体がヒドロゾルとアロマオイルとに分離される。操作の１０分後、１００ｍｌのヒドロゾルが得られ、０．７ｍｌのオイルが得られた。
【００８７】
また、８０グラムのラベンダーの新鮮な葉が、本発明のカプセル内に置かれた。水が水容器内で加熱され、蒸気が発生し、カプセル内に通された。凝縮器内で、蒸気が凝縮され、分離ユニット内で、得られた液体がヒドロゾルとアロマオイルとに分離された。操作の１０分後、１００ｍｌのヒドロゾルが得られ、０．９ｍｌのオイルが得られた。
【００８８】
図１０Ａに示されるように、カプセルを含む本発明は、２９％より効率が良いことがわかった。
【実施例２】
【００８９】
実施例１と同じ装置を用いて、１２０グラムの新鮮なオロブランコ（グレープフルーツｘブンタンのハイブリッド種）の皮が、上述のオイル抽出装置のグリッド上に置かれた。水が容器内で加熱され、蒸気が発生し、熱湯の上のグリッド上に位置するラベンダーの葉に通された。凝縮器内で、蒸気が凝縮され、得られた液体がヒドロゾルとアロマオイルとに分離された。操作の１０分後、１００ｍｌのヒドロゾルが得られ、０．８ｍｌのオイルが得られた。
【００９０】
また、１２０グラムの新鮮なオロブランコの皮が、本発明のカプセル内に置かれた。水が水容器内で加熱され、蒸気が発生し、カプセル内に通された。凝縮器内で、蒸気が凝縮され、分離ユニット内で、得られた液体がヒドロゾルとアロマオイルとに分離された。操作の１０分後、１００ｍｌのヒドロゾルが得られ、１．２ｍｌのオイルが得られた。
【００９１】
図１０Ｂに示されるように、カプセルを含む本発明は、５０％より効率が良いことがわかった。
【実施例３】
【００９２】
１２０グラムの新鮮なネーブルオレンジの皮が、上述のオイル抽出装置のグリッド上に置かれた。水が容器内で加熱され、蒸気が発生し、熱湯の上のグリッド上に位置するラベンダーの葉に通された。凝縮器内で、蒸気が凝縮され、得られた液体がヒドロゾルとアロマオイルとに分離された。操作の１０分後、１００ｍｌのヒドロゾルが得られ、０．３５ｍｌのオイルが得られた。
【００９３】
また、１２０グラムの新鮮なネーブルオレンジの皮が、本発明のカプセル内に置かれた。水が水容器内で加熱され、蒸気が発生し、カプセル内に通された。凝縮器内で、蒸気が凝縮され、分離ユニット内で、得られた液体がヒドロゾルとアロマオイルとに分離された。操作の１０分後、１００ｍｌのヒドロゾルが得られ、０．９ｍｌのオイルが得られた。
【００９４】
図１０Ｄに示されるように、カプセルを含む本発明は、１５７％より効率が良いことがわかった。
【００９５】
本発明の種々の組合せ、代替および改良が、当業者により考案されることが理解されるべきである。本発明は、添付の特許請求の範囲内に含まれるすべてのかかる代替、改良および変形を包含することを意図する。
【００９６】
また、本明細書は水である液体について記載しているが、本発明の内容が実現される限り、他の液体を使用することができることが理解されるであろう。
【００９７】
本発明は、特に、好適なその実施態様を参照して、説明され、記載されるが、当業者により、形式上および細部の種々の変形が、本発明の精神および範囲から逸脱することなく、なされる場合があることが理解されるであろう。
【実施例４】
【００９８】
【表１】
2018099686.tif 000003
【００９９】
結論
カプセル内での少量（約６０グラム）のラベンダーの蒸留は、グリッド上と比較して、３３％より多量のオイルを得る。
【０１００】
多量（約１８０グラム）のハーブ（ラベンダー）を使用すると、カプセルまたはグリッドを使用しても、オイルの収量に検出可能な差異は見られなかった。
【実施例５】
【０１０１】
カプセル内に置かれたまたはグリッド上に置かれたスイート・マジョラム（Ｏｒｉｇａｎｕｍ  ｍａｊｏｒａｎａ）の新鮮な枝の蒸留
【０１０２】
【表２】
2018099686.tif 000004
【０１０３】
結論
１−「サビネン水和物」分子の２つの異性体（シスおよびトランス）が、非常に分解（脱水）しやすい化合物であると考えられるので、蒸留方法の品質を判定するために、マジョラムが使用された。
【０１０４】
２−上述の結果は、植物がグリッド上に置かれたときに起こる完全な分解と比較して、カプセルを用いた方法が、両方の異性体を維持し、それらの分解を防ぐことを明らかに示す。
【０１０５】
３−カプセルも、グリッドも使用せずに得られたヒドロゾル内には、両方の異性体は検出されない。
【図１Ａ】
2018099686.tif 000005
【図１Ｂ】
2018099686.tif 000006
【図１Ｃ】
2018099686.tif 000007
【図１Ｄ】
2018099686.tif 000008
【図１Ｅ】
2018099686.tif 000009
【図２Ａ】
2018099686.tif 000010
【図２Ｂ】
2018099686.tif 000011
【図３】
2018099686.tif 000012
【図４Ａ】
2018099686.tif 000013
【図４Ｂ】
2018099686.tif 000014
【図４Ｃ】
2018099686.tif 000015
【図４Ｄ】
2018099686.tif 000016
【図４Ｅ】
2018099686.tif 000017
【図４Ｆ】
2018099686.tif 000018
【図５Ａ】
2018099686.tif 000019
【図５Ｂ】
2018099686.tif 000020
【図５Ｃ】
2018099686.tif 000021
【図５Ｄ】
2018099686.tif 000022
【図５Ｅ】
2018099686.tif 000023
【図５Ｆ】
2018099686.tif 000024
【図６Ａ】
2018099686.tif 000025
【図６Ｂ】
2018099686.tif 000026
【図６Ｃ】
2018099686.tif 000027
【図６Ｄ】
2018099686.tif 000028
【図６Ｅ】
2018099686.tif 000029
【図６Ｆ】
2018099686.tif 000030
【図６Ｇ】
2018099686.tif 000031
【図６Ｈ】
2018099686.tif 000032
【図６Ｉ】
2018099686.tif 000033
【図６Ｊ】
2018099686.tif 000034
【図６Ｋ】
2018099686.tif 000035
【図６Ｌ】
2018099686.tif 000036
【図６Ｍ】
2018099686.tif 000037
【図７】
2018099686.tif 000038
【図８】
2018099686.tif 000039
【図９Ａ】
2018099686.tif 000040
【図９Ｂ】
2018099686.tif 000041
【図１０Ａ】
2018099686.tif 000042
【図１０Ｂ】
2018099686.tif 000043
【図１０Ｃ】
2018099686.tif 000044
【手続補正書】
【提出日】平成30年2月14日(2018.2.14)
【手続補正１】
【補正対象書類名】明細書
【補正対象項目名】００１１
【補正方法】変更
【補正の内容】
【００１１】
【図１Ａ】本発明の一実施例における本装置の部分分解図を示したものである。
【図１Ｂ】図１Ａの実施例における装置の側面図を示したものである。
【図１Ｃ】図１Ａに説明した装置の別の図を示したものである。
【図１Ｄ】本発明の一実施例における本装置の部分分解図を示したものである。
【図１Ｅ】図１Ｂに説明した装置の別の図を示したものである。
【図２Ａ】本発明における一般的な装置の一実施例を図示したものである。
【図２Ｂ】図２Ａで示された装置の一実施例における背面図を示したものである。
【図３】本発明における一実施例の複数の部品の概略図を示したものである。
【図４Ａ】本発明の一実施例による一部品の概略図を示したものである。
【図４Ｂ】図４Ａで提供される一部品の切欠図を示したものである。
【図４Ｃ】図４Ａで提供される一部品の別の切欠図を示したものである。
【図４Ｄ】本発明の一実施例における一部品の斜視図を示したものである。
【図４Ｅ】本発明の一実施例における一部品の斜視図を示したものである。
【図４Ｆ】本発明の一実施例における一部品の斜視図を示したものである。
【図５Ａ】本発明の一実施例による一部品の概略図を示したものである。
【図５Ｂ】図５Ａで提供される一部品の切欠図を示したものである。
【図５Ｃ】図５Ａで提供される一部品の斜視図を示したものである。
【図５Ｄ】本発明の一実施例における一部品の切欠図を示したものである。
【図５Ｅ】本発明の一実施例における一部品の斜視図を示したものである。
【図５Ｆ】本発明の一実施例における一部品の斜視図を示したものである。
【図６Ａ】本発明の一実施例による一部品の概略図を示したものである。
【図６Ｂ】図６Ａで提供される一部品の複数の図を示したものである。
【図６Ｃ】図６Ａで提供される一部品の概略図を示したものである。
【図６Ｄ】本発明の一実施例における一部品の概略図を示したものである。
【図６Ｅ】本発明の一実施例における一部品の概略図を示したものである。
【図６Ｆ】本発明の一実施例における一部品の側面概略図を示したものである。
【図６Ｇ】本発明の一実施例における一部品の側面概略図を示したものである。
【図６Ｈ】本発明の一部品の斜視図を示したものである。
【図６Ｉ】図６Ｈで示される部品の側面図を示したものである。
【図６Ｊ】図６Ｈで示される部品の上面図を示したものである。
【図６Ｋ】図６Ｈで示される部品の切欠図を示したものである。
【図６Ｌ】本発明の一部品の斜視図を示したものである。
【図６Ｍ】本発明の一部品の斜視図を示したものである。
【図７】本発明における一般的な装置の一実施例を図示したものである。
【図８】本発明における一般的な装置の一実施例を図示したものである。
【図９Ａ】本発明の一実施例における電子部品を示したものである。
【図９Ｂ】本発明の一実施例における電子部品を示したものである。
【図１０Ａ】従来技術と本発明の処理を比較して示したものである。
【図１０Ｂ】従来技術と本発明の処理を比較して示したものである。
【図１０Ｃ】従来技術と本発明の処理を比較して示したものである。
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
有機物質から揮発性オイルおよび水性蒸留物を抽出する方法であって、
前記方法は、
容器に貯蔵される液体から蒸気を発生させるステップと；
浸出した蒸気を生成するために、有機物質を保持するために構成された着脱可能なカプセルに、蒸気を通過させるステップであって、前記着脱可能なカプセルは、
前記注入口を囲み、前記カプセルの床底部の周縁に沿って形成された周囲集液溝部と、
前記カプセルの前記床底部に取り付けられ前記床底部から隆起している複数の段違い部材を含み、各段違い部材は前記段違い部材の上面と前記段違い部材の少なくとも１つの側面を貫通する複数の孔を含む
ステップと；
前記カプセルを通過させた後に、前記浸出した蒸気を凝縮するステップと；
分離槽で、凝縮された水性蒸留物の他の成分から揮発性オイルを分離するステップと；
前記分離槽の外部にある第１の回収領域で、前記オイルを回収するステップと；
前記分離槽の外部にある第２の回収領域で前記凝縮された水性蒸留物の他の成分を回収するステップとを含むことを特徴とする方法。
【請求項２】
前記液体は水であり、その他の成分は水性蒸留物を含むことを特徴とする請求項１に記載の方法。
【請求項３】
前記分離するステップは、
前記分離槽で、第１のプリセット位置でオイルの存在を感知するステップと；
前記プリセット位置で、蒸留物が検出されるときに、ピストンの動作を停止するステップと；
第２の現位置に、前記ピストンを引き下げるステップと；
前記分離槽から残留する液体を抽出するステップとをさらに含むことを特徴とする請求項１に記載の方法。
【請求項４】
前記分離するステップは、
少なくとも揮発性オイルおよび水性蒸留物を含む前記凝縮液を含む分離槽の中でピストンを駆動させるステップと；
前記分離槽内で第１のプリセット位置で、水性蒸留物の存在を検出するステップと、
前記プリセット位置で、水性蒸留物が検出されるとき、前記ピストンの動作を停止させるステップと、
第２の現位置まで前記ピストンを引き下げるステップと、
前記分離槽から残留する液体を抽出するステップとをさらに含むことを特徴とする請求項１に記載の方法。
【請求項５】
前記検出するステップは、
前記水性蒸留物の存在を確認するために、電極を配置するステップと；
前記水性蒸留物が検出されるまで、操作を続行するために、前記ピストンに第１のシグナルを送信するステップと、
前記水性蒸留物が検出されるときに、逆操作を行うために、前記ピストンに第２のシグナルを送信するステップとをさらに含むことを特徴とする請求項４に記載の方法。
【請求項６】
前記検出するステップは、
特定の体積の凝縮水を回収するまで、前記蒸気が空のカプセル内を移動し、前記凝縮器から前記分離ユニットまで、すべての前記管／室を洗浄するとき、逆操作を行うために、前記ピストンに第３のシグナルを送信するステップと；
前記洗浄用の凝縮水が、液体回収トレイに排出されるときに、逆操作を行うために、前記ピストンに第４のシグナルを送信するステップと、
洗浄ステップを終了するステップとをさらに含むことを特徴とする請求項４に記載の方法。
【請求項７】
前記検出するステップは、
添加剤カートリッジから、前記抽出されたオイルとともに使用するための組成物を得るステップと；
前記抽出されたオイルと、前記組成物とを混合して、最終組成物を形成するステップと；
前記最終組成物を貯蔵するステップとをさらに含むことを特徴とする請求項４に記載の方法。